(57)【要約】【課題】非接触ＩＣを搭載した媒体から、無線通信以外によってデータを取得し、その取得したデータに基づいて入出場を許可するか否かを判定することができる入出場ゲート装置を提供することである。【解決手段】入出場ゲート装置は、通信部と、読取部と、媒体判定部と、制御部とを持つ。通信部は、識別情報及び処理用情報を取得する。読取部は、媒体に表示されたコード情報を読み取る。媒体判定部は、識別情報に基づいて、媒体がコード情報を表示する第１媒体であるか、媒体がコード情報を表示しない第２媒体であるかを判定する。制御部は、第２媒体であると判定された場合、処理用情報に基づく処理を実行し、第１媒体であると媒体判定部により判定された場合、コード情報と、処理用情報とに基づく処理を実行し、読取部によりコード情報が読み取られなかったときに処理用情報に基づく処理を実行する。【選択図】図１
2015176259.tif 000002
【特許請求の範囲】
【請求項１】
媒体と通信して前記媒体の識別情報及び処理用情報を取得する通信部と、
前記媒体に表示されたコード情報を読み取る読取部と、
前記通信部が受信した前記媒体の識別情報に基づいて、前記媒体が前記コード情報を表示する第１媒体であるか、前記媒体が前記コード情報を表示しない第２媒体であるかを判定する媒体判定部と、
前記通信部と通信した前記媒体が前記第２媒体であると前記媒体判定部により判定された場合、前記読取部による読み取りの結果を待つことなく、前記通信部により取得された前記処理用情報に基づく処理を実行し、
前記通信部と通信した前記媒体が前記第１媒体であると前記媒体判定部により判定された場合、前記読取部により前記コード情報が読み取られたときに前記読取部により読み取られた前記コード情報と、前記通信部により取得された前記処理用情報とに基づく処理を実行し、前記読取部により前記コード情報が読み取られなかったときに前記通信部により取得された前記処理用情報に基づく処理を実行する制御部と、
を備える入出場ゲート装置。
【請求項２】
前記制御部は、予め定められた場所への入場、又は、前記予め定められた場所からの出場を許可するか否かを判定する処理を、前記処理用情報に基づく処理として実行する、請求項１に記載の入出場ゲート装置。
【請求項３】
前記制御部は、前記通信部と通信した前記媒体が前記第２媒体であると前記媒体判定部により判定された場合、前記読取部による前記コード情報の読み取りを無効にする、請求項１又は請求項２に記載の入出場ゲート装置。
【請求項４】
前記制御部は、前記識別情報が前記第１媒体を示す情報であると前記媒体判定部が判定した場合、前記第１媒体から取得した前記処理用情報に基づく処理を実行し、さらに前記コード情報を読み取る必要がある場合に、前記第１媒体に表示された前記コード情報に基づく処理を実行する、請求項１から請求項３のいずれか一項に記載の入出場ゲート装置。
【請求項５】
前記読取部は、１次元コード又は２次元コードで表示された前記コード情報を読み取る、請求項１から請求項４のいずれか一項に記載の入出場ゲート装置。
【発明の詳細な説明】
【技術分野】
【０００１】
本発明の実施形態は、入出場ゲート装置に関する。
【背景技術】
【０００２】
非接触ＩＣ（Integrated Circuit）を搭載したカードや情報端末などの媒体が普及している。入出場ゲート装置は、非接触ＩＣを搭載した媒体から無線通信によって受信したデータのみならず、その媒体から無線通信以外によって取得したデータに基づいて処理を実行する場合がある。しかしながら、入出場ゲート装置は、非接触ＩＣを搭載した媒体から、無線通信以外によってデータを取得し、その取得したデータに基づいて入出場を許可するか否かを判定することができない場合があった。
【先行技術文献】
【特許文献】
【０００３】
【特許文献１】特開２００７−４７９６０号公報
【発明の概要】
【発明が解決しようとする課題】
【０００４】
本発明が解決しようとする課題は、非接触ＩＣを搭載した媒体から、無線通信以外によってデータを取得し、その取得したデータに基づいて入出場を許可するか否かを判定することができる入出場ゲート装置を提供することである。
【課題を解決するための手段】
【０００５】
実施形態の入出場ゲート装置は、通信部と、読取部と、媒体判定部と、制御部とを持つ。通信部は、媒体と通信して前記媒体の識別情報及び処理用情報を取得する。読取部は、前記媒体に表示されたコード情報を読み取る。媒体判定部は、前記通信部が受信した前記媒体の識別情報に基づいて、前記媒体が前記コード情報を表示する第１媒体であるか、前記媒体が前記コード情報を表示しない第２媒体であるかを判定する。制御部は、前記通信部と通信した前記媒体が前記第２媒体であると前記媒体判定部により判定された場合、前記読取部による読み取りの結果を待つことなく、前記通信部により取得された前記処理用情報に基づく処理を実行し、前記通信部と通信した前記媒体が前記第１媒体であると前記媒体判定部により判定された場合、前記読取部により前記コード情報が読み取られたときに前記読取部により読み取られた前記コード情報と、前記通信部により取得された前記処理用情報とに基づく処理を実行し、前記読取部により前記コード情報が読み取られなかったときに前記通信部により取得された前記処理用情報に基づく処理を実行する。
【図面の簡単な説明】
【０００６】
【図１】実施形態における、入出場ゲート装置の構成例を示すブロック図である。
【図２】実施形態における、入出場ゲート装置の側面図である。
【図３】実施形態における、入出場ゲート装置の上面図である。
【図４】実施形態における、入出場ゲート装置の動作の第１例を示すフローチャートである。
【図５】実施形態における、入出場ゲート装置の動作の第２例を示すフローチャートである。
【図６】実施形態における、運賃収受システムの構成例を示す図である。
【図７】実施形態における、ＩＣ券の構成例を示す図である。
【図８】実施形態における、改札機の構成例を示す図である。
【図９】実施形態における、運賃収受サーバの構成例を示す図である。
【図１０】実施形態における、改札機が身分証明書用途のＩＣ券の使用による運賃の収受に対応して実行する処理手順例を示すフローチャートである。
【図１１】実施形態における、運賃収受サーバが運賃収受に対応して実行する処理手順例を示すフローチャートである。
【発明を実施するための形態】
【０００７】
以下、実施形態の入出場ゲート装置を、図面を参照して説明する。
図１は、実施形態における、入出場ゲート装置１の構成例を示すブロック図である。入出場ゲート装置１は、入場又は出場する人物（以下、「利用者」という。）によって入出場ゲート装置１に近づけられた媒体から得た情報に基づいて、扉１４の開閉を制御する。入出場ゲート装置１は、例えば、駅やビルなどの施設の入出場ゲートに設置される。例えば、入出場ゲート装置１は、駅に設置された改札装置でもよい。
【０００８】
媒体は、例えば、入場券、身分証、鍵や乗車券として使用される。媒体には、少なくとも第１媒体と第２媒体との２種類がある。第１媒体は、非接触ＩＣと表示デバイスを搭載する媒体である。第１媒体は、例えば、情報端末である。第１媒体は、表示デバイスによって、コード情報を表示可能である。つまり、第１媒体は、ＩＣ券であり、コード券でもある。コード情報は、１次元コードや、２次元コードで表示される。なお、コード情報は、ホログラムなどにより、３次元で表示されてもよい。
【０００９】
第２媒体は、非接触ＩＣを搭載するが、表示デバイスを搭載しておらず、コード情報を表示可能でない媒体である。つまり、第２媒体は、ＩＣ券であるが、コード券ではない。第２媒体は、例えば、非接触ＩＣを搭載したカード（ＩＣカード）である。以下、実施形態において、第１媒体と第２媒体とに共通する事項については、「媒体」と表記する。
【００１０】
入出場ゲート装置１は、読取部１１と、書込部１２と、検知部１３と、扉１４と、記憶部１５と、制御部１６と、を備える。
読取部１１は、非接触ＩＣを搭載した媒体から、入場又は出場を許可するか否かを判定するための処理用情報（以下、「入出場判定情報」という。）を、無線通信によって取得する。また、読取部１１は、非接触ＩＣを搭載した第１媒体から、コード情報を、光学デバイスによって取得する。入出場判定情報は、例えば、乗車駅を示す情報、降車駅を示す情報、乗換駅を示す情報、チャージ金額情報、支払済金額情報である。読取部１１は、媒体から読み取った入出場判定情報とコード情報とを、制御部１６に出力する。なお、入出場判定情報とコード情報は、暗号化されていてもよい。
【００１１】
図２は、実施形態における、入出場ゲート装置１の側面図である。図３は、実施形態における、入出場ゲート装置１の上面図である。入出場ゲート装置１は、扉１４として、扉１４ａと、扉１４ｂとを備える。読取部１１は、磁気券読取部１１１と、ＩＣ券読取部１１２と、コード情報読取部１１３と、を備える。磁気券読取部１１１は、磁気券読取部１１１ａと、磁気券読取部１１１ｂとを備える。磁気券読取部１１１は、磁気ヘッドを備える。磁気券読取部１１１は、入出場判定情報を、磁気ヘッドによって磁気券から読み取る。
【００１２】
ＩＣ券読取部１１２は、ＲＦＩＤ（Radio Frequency Identification）通信部を備える。ＩＣ券読取部１１２は、利用者によって第１媒体が近づけられた場合、第１媒体を示す識別情報と、入出場判定情報とを、無線通信によってその第１媒体から受信する。ＩＣ券読取部１１２は、利用者によって第２媒体が近づけられた場合、第２媒体を示す媒体識別情報と、入出場判定情報とを、無線通信によってその第２媒体から受信する。
【００１３】
ＩＣ券読取部１１２は、ＩＣ券読取部１１２の近傍に、磁界を発生させる。その磁界は、利用者によってＩＣ券読取部１１２に近づけられた媒体に搭載されている回路に、電磁誘導によって電圧を印加する。これにより、媒体に搭載されている非接触ＩＣを駆動する回路は、動作することができる。ＩＣ券読取部１１２は、非接触ＩＣを搭載した媒体から、無線通信によって媒体情報を受信する。ＩＣ券読取部１１２は、非接触ＩＣを搭載した媒体から応答として送信された応答情報（Request Response）を、無線通信によって受信する。なお、応答情報は、媒体から繰り返し送信されてもよい。
【００１４】
コード情報読取部１１３は、撮像部を備える。コード情報読取部１１３は、利用者によってコード情報読取部１１３に近づけられた（提示された）媒体を撮像する。コード情報読取部１１３は、撮像した第１媒体の表示デバイスに表示されたコード情報を、撮像部によって光学的に読み取る。コード情報読取部１１３は、撮像した第１媒体から、例えば、パターン認識処理によってコード情報を読み取る。
【００１５】
第１媒体に表示されているコード情報に対しては、読み取り処理のみ実行し、書き込み処理を実行する場合は無い。これに対し、媒体に搭載されている非接触ＩＣに対しては、電磁誘導によって、読み取り処理と書き込み処理とを実行する場合がある。したがって、非接触ＩＣに対しては、近づけられた媒体が書込部１２から書き込み可能な距離内に有るうちに、書き込み処理を開始する必要がある。なお、近づけられた媒体が書込部１２から書き込み可能な距離内に有るか否かは、ＩＣ券読取部１１２がその媒体から無線通信によって応答情報を受信可能であるか否かに基づいて判定可能である。
【００１６】
しかしながら、ＩＣ券読取部１１２は、コード情報読取部１１３がコード情報を光学的に読み取るよりも先に、無線通信によって第１媒体を捕捉する場合がある。この場合、ＩＣ券読取部１１２は、捕捉した第１媒体から、無線通信によって識別情報や入出場判定情報を、コード情報読取部１１３によるコード情報の読み取りよりも先に受信する。
【００１７】
また、制御部１６は、第１媒体に表示されたコード情報と、第１媒体から無線通信によって受信した入出場判定情報との両方に基づいて、入場又は出場を許可するか否かを判定する場合がある。例えば、駅の乗換口に入出場ゲート装置１が設置されている場合、制御部１６は、コード情報と入出場判定情報との両方に基づいて、乗り換えのための入場又は出場を許可するか否かを判定する場合がある。このため、制御部１６は、入出場判定情報を先に受信した場合であっても、入出場判定情報に基づく処理を保留して、第１媒体に表示されたコード情報の読み取りを待つ必要がある。
【００１８】
そこで、制御部１６は、情報端末などの第１媒体が近づけられた場合には、コード情報の読み取りを有効（受け付け可）にしたまま、入出場判定情報に基づく処理を、一定時間だけ保留する。なお、第２媒体にはコード情報が表示されないので、制御部１６は、第２媒体が近づけられた場合には、コード情報の読み取りを無効（受け付け不可）にして、入出場判定情報に基づく処理を保留せずに実行する。
【００１９】
書込部１２は、入出場判定処理の結果を、制御部１６から取得する。書込部１２は、入出場判定処理の結果を、媒体に書き込む。書込部１２は、磁気券書込部１２１と、ＩＣ券書込部１２２と、を備える。
【００２０】
磁気券書込部１２１は、磁気ヘッドを備える。磁気券書込部１２１は、入出場判定処理の結果を、磁気ヘッドによって磁気券に書き込む。磁気券読取部１１１と磁気券書込部１２１とは、一体でもよい。
ＩＣ券書込部１２２は、ＲＦＩＤ通信部を備える。ＩＣ券書込部１２２は、入出場判定処理の結果を、電磁誘導によって媒体に書き込む。ＩＣ券読取部１１２とＩＣ券書込部１２２とは、一体でもよい。ＩＣ券書込部１２２は、応答情報の送信を要求する要求信号を、ＩＣ券書込部１２２から所定距離内に対して、所定周期で無線送信してもよい。
【００２１】
検知部１３は、入出場ゲート装置１を通過する利用者の存在を検知する。検知部１３は、検知結果を制御部１６に出力する。検知部１３は、機内検知部１３ａと、機前検知部１３ｂとを備える。機内検知部１３ａと機前検知部１３ｂは、例えば、光学センサを備える。この光学センサは、例えば、隣り合う入出場ゲート装置１同士で連携することにより、利用者の存在を検知する。光学センサは、互いに対向配置された一対の発光部と受光部とを備える。一対の発光部と受光部とのうち、いずれか一方は、隣の入出場ゲート装置１に備えられる。
【００２２】
検知部１３は、発光部から照射された光が遮断されたことを、対向配置された受光部が検出することで、入出場ゲート装置１を通過する利用者の存在を検知する。また、検知部１３は、反射型のセンサでもよい。検知部１３は、入出場ゲート装置１を通過する利用者によって反射された光を受光して、その利用者の存在を検知してもよい。
【００２３】
記憶部１５は、ＲＡＭ（Random Access Memory）やＲＯＭ（Read Only Memory）、フラッシュメモリ、ＨＤＤ（Hard Disk Drive）、レジスタ等である。記憶部１５は、ファームウェアやアプリケーションプログラム等、入出場ゲート装置１が備えるＣＰＵが実行するための各種プログラムや、ＣＰＵが実行した処理の結果等を記憶する。また、記憶部１５は、入出場判定情報と、コード情報と、媒体を識別するための識別情報とを記憶してもよい。
【００２４】
制御部１６の各部のうち一部または全部は、例えば、ＣＰＵ（Central Processing Unit）等のプロセッサが、記憶部１５に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００２５】
制御部１６は、入出場ゲート装置１の動作を制御する。制御部１６は、入出場処理部１６１と、読取制御部１６２と、同一性判定部１６３と、扉制御部１６４とを備える。
入出場処理部１６１は、入出場判定情報を読取部１１から取得する。入出場処理部１６１は、コード情報を読取部１１から取得する。
【００２６】
入出場処理部１６１は、コード情報と入出場判定情報との少なくとも一方に基づいて、入場又は出場を許可するか否かを判定するための入出場判定処理を実行する。例えば、入出場処理部１６１は、支払済金額情報が示す金額が所定の入場料金以上である場合、入場を許可する。また、例えば、入出場処理部１６１は、入出場ゲート装置１が設置された駅を示す情報と、降車駅を示す情報とが一致する場合、出場を許可する。
【００２７】
入出場処理部１６１は、入出場判定処理の結果を、書込部１２に出力する。入出場処理部１６１は、入出場判定処理が正常に完了した場合、入出場判定処理の完了通知を、扉制御部１６４に出力する。入出場処理部１６１は、入出場判定処理が正常に完了しなかった場合、読取制御部１６２と扉制御部１６４とに異常発生を示す情報を出力するエラー処理を実行する。
【００２８】
また、入出場処理部１６１は、入出場判定処理の結果がコード情報の読み取り要求を示す場合、コード情報の読み取りを有効にする要求信号を、読取制御部１６２に出力する。また、入出場処理部１６１は、入出場判定処理の結果がコード情報の読み取り要求を示さない場合、コード情報の読み取りを無効にする要求信号を、読取制御部１６２に出力する。入出場判定処理の結果は、例えば、支払済金額情報が示す金額が所定の入場料金以上であるか否かを示す結果である。
【００２９】
また、入出場ゲート装置１では、複数の利用者が間隔を空けずに通過することがある。このため、入出場処理部１６１は、同一性判定処理を実行する要求を、同一性判定部１６３に出力する。同一性判定処理とは、一回の入出場判定処理について、複数の媒体を処理する場合に、異なる媒体を読取部１１に近づけた利用者が、同一の利用者であるか否かを判定する処理である。例えば、同一性判定処理では、複数の媒体から読み取った入出場判定情報に基づく結果がコード情報の読み取りを必要とすることを示す場合に、その媒体利用者と、他の媒体の利用者とが同一であるか否かが判定される。
【００３０】
読取制御部１６２は、入出場処理部１６１から取得する情報に基づいて、読取部１１を制御し、媒体からの情報の読み取りを制御する。読取制御部１６２は、コード情報の読み取りを有効にする要求を入出場処理部１６１から取得した場合、読取部１１を制御して、コード情報の読み取りを有効にする。読取制御部１６２は、コード情報の読み取りを無効にする要求を入出場処理部１６１から取得した場合、読取部１１を制御して、コード情報の読み取りを無効にする。読取制御部１６２は、異常発生の通知を入出場処理部１６１から取得した場合には、読取部１１を制御して、媒体からの情報の読み取りを停止させる。
【００３１】
同一性判定部１６３は、検知結果を検知部１３から取得する。同一性判定部１６３は、検知部１３から取得した検知結果に基づいて、同一性判定処理を実行する。同一性判定部１６３は、同一性判定処理において、例えば、検知部１３が検知している人が同一であるか否かを判定する。例えば、同一性判定部１６３は、同一性判定処理を実行する要求を、入出場処理部１６１から取得した時点から、複数の媒体からの入出場判定情報の読み取りが完了し、入出場判定処理の結果が書込部１２に出力されるまでの間、同一の利用者であるか否かを判定する。
【００３２】
扉制御部１６４は、扉１４の開閉を制御する。扉制御部１６４は、入出場判定処理の結果に基づく完了通知を入出場処理部１６１から取得した場合、扉１４を開ける。この場合、利用者は、入場又は出場を許可される。扉制御部１６４は、入出場判定処理の結果に基づく異常発生通知を入出場処理部１６１から取得した場合、扉１４を閉じる。この場合、利用者は、入場又は出場を許可されない。
【００３３】
次に、入出場ゲート装置１の動作例を説明する。
図４は、実施形態における、入出場ゲート装置１の動作の第１例を示すフローチャートである。このフローチャートに示す動作は、読取制御部１６２が媒体を捕捉した場合、入出場ゲート装置１によって実行される動作である。
【００３４】
ＩＣ券読取部１１２は、ＩＣ券読取部１１２に近づけられた媒体から、識別情報や入出場判定情報を受信する。つまり、読取制御部１６２は、ＩＣ券読取部１１２に近づけられた媒体を捕捉する（ステップＳ１０）。
【００３５】
読取制御部１６２は、ＩＣ券読取部１１２によって受信された識別情報が第１媒体又は第２媒体のいずれを示す情報であるかを判定する。読取制御部１６２は、識別情報が第１媒体を示す情報である場合、捕捉された媒体が第１媒体であると判定する。読取制御部１６２は、識別情報が第２媒体を示す情報である場合、捕捉された媒体が第２媒体であると判定する（ステップＳ２０）。
【００３６】
識別情報が第２媒体を示す情報である場合（ステップＳ２０：Ｎｏ）、読取制御部１６２は、コード情報読取部１１３を制御して、コード情報の読み取りを無効にする（ステップＳ３０）。
【００３７】
入出場処理部１６１は、入出場判定情報をＩＣ券読取部１１２から取得する。入出場処理部１６１は、入出場判定情報に基づいて、入場又は出場を許可するか否かを判定するための入出場判定処理を実行する。入出場処理部１６１は、入出場判定処理の結果を、書込部１２に出力する。書込部１２のＩＣ券書込部１２２は、ＩＣ券としての第２媒体に対する処理を実行する（ステップＳ４０）。
読取制御部１６２は、コード情報読取部１１３を制御して、コード情報の読み取りを有効にする（ステップＳ５０）。
【００３８】
識別情報が第１媒体を示す情報である場合（ステップＳ２０：Ｙｅｓ）、読取制御部１６２は、ＩＣ券読取部１１２がその第１媒体から無線通信によって応答情報を受信し続けているか否かを、コード情報の読み取りを有効にしたまま判定する。つまり、読取制御部１６２は、書込部１２から書き込み可能な距離内に第１媒体が有るか否かを判定する（ステップＳ６０）。
応答情報を受信した場合（ステップＳ６０：Ｙｅｓ）、読取制御部１６２は、コード情報を読み取ったか否かを判定する（ステップＳ７０）。
【００３９】
コード情報を読み取った場合（ステップＳ７０：Ｙｅｓ）、入出場処理部１６１は、コード情報と入出場判定情報とに基づいて、入場又は出場を許可するか否かを判定するための入出場判定処理を実行する（ステップＳ８０）。入出場処理部１６１は、ステップＳ５０に処理を進める。
【００４０】
ステップＳ７０において、コード情報を読み取っていない場合（ステップＳ７０：Ｎｏ）、入出場処理部１６１は、一定時間が経過したか否かを判定する（ステップＳ９０）。一定時間が経過していない場合（ステップＳ９０：Ｎｏ）、入出場処理部１６１は、ステップＳ６０に処理を戻す。一方、一定時間が経過した場合（ステップＳ９０：Ｙｅｓ）、入出場処理部１６１は、ステップＳ３０に処理を進める。
【００４１】
ステップＳ６０において、応答情報を受信できない場合（ステップＳ６０：Ｎｏ）、入出場処理部１６１は、読取制御部１６２と扉制御部１６４とに異常発生を示す情報を出力するエラー処理を実行する（ステップＳ１００）。
【００４２】
図５は、実施形態における、入出場ゲート装置１の動作の第２例を示すフローチャートである。図５に示すステップＳａ１０〜ステップＳａ８０は、図４に示す入出場ゲート装置１の動作の第１例における、ステップＳ１０〜ステップＳ８０と同じである。また、図５に示すステップＳａ１００は、図４に示す入出場ゲート装置１の動作の第１例における、ステップＳ１００と同じである。
【００４３】
つまり、図４に示す入出場ゲート装置１の動作の第１例と、図５に示す入出場ゲート装置１の動作の第２例とでは、図５に示す入出場ゲート装置１の動作の第２例にステップＳａ２１〜ステップＳａ２４が追加された点（図５に示す、破線で囲まれた箇所）と、ステップＳａ９０とが異なる。図５では、図４に示す入出場ゲート装置１の動作の第１例との相違点についてのみ説明する。
【００４４】
識別情報が第１媒体を示す情報である場合（ステップＳａ２０：Ｙｅｓ）、読取制御部１６２は、コード情報読取部１１３を制御して、コード情報の読み取りを無効にする（ステップＳａ２１）。
【００４５】
入出場処理部１６１は、入出場判定情報をＩＣ券読取部１１２から取得する。入出場処理部１６１は、入出場判定情報に基づいて、入場又は出場を許可するか否かを判定するための入出場判定処理を実行する。入出場処理部１６１は、入出場判定処理の結果を、書込部１２に出力する。書込部１２のＩＣ券書込部１２２は、ＩＣ券としての第１媒体に対する処理を実行する（ステップＳａ２２）。
【００４６】
ステップＳａ７０において、コード情報を読み取っていない場合（ステップＳａ７０：Ｎｏ）、入出場処理部１６１は、一定時間が経過したか否かを判定する（ステップＳａ９０）。一定時間が経過していない場合（ステップＳａ９０：Ｎｏ）、入出場処理部１６１は、ステップＳａ６０に処理を戻す。一方、一定時間が経過した場合（ステップＳａ９０：Ｙｅｓ）、入出場処理部１６１は、ステップＳａ５０に処理を進める。
【００４７】
入出場処理部１６１は、第１媒体からコード情報を読み取る必要があるか否かを判定する。入出場処理部１６１は、入場又は出場を許可するか否かを入出場判定情報のみでは判定することができない場合、第１媒体からコード情報を読み取る必要があると判定する。第１媒体からコード情報を読み取る必要がある場合（ステップＳａ２３：Ｙｅｓ）、読取制御部１６２は、コード情報読取部１１３を制御して、コード情報の読み取りを有効にする（ステップＳａ２４）。読取制御部１６２は、ステップＳａ６０に処理を進める。
第１媒体からコード情報を読み取る必要がない場合（ステップＳａ２３：Ｎｏ）、読取制御部１６２は、ステップＳａ５０に処理を進める。
【００４８】
以上のように、実施形態の入出場ゲート装置１は、ＩＣ券読取部１１２（通信部）と、コード情報読取部１１３（読取部）と、読取制御部１６２（媒体判定部）と、入出場処理部１６１（制御部）とを持つ。ＩＣ券読取部１１２は、媒体と通信して媒体の識別情報及び処理用情報を取得する。コード情報読取部１１３は、媒体に表示されたコード情報を読み取る。読取制御部１６２は、ＩＣ券読取部１１２が受信した媒体の識別情報に基づいて、媒体がコード情報を表示する第１媒体であるか、媒体がコード情報を表示しない第２媒体であるかを判定する。入出場処理部１６１は、ＩＣ券読取部１１２と通信した媒体が第２媒体であると読取制御部１６２により判定された場合、コード情報読取部１１３による読み取りの結果を待つことなく、ＩＣ券読取部１１２により取得された処理用情報に基づく処理を実行する。入出場処理部１６１は、ＩＣ券読取部１１２と通信した媒体が第１媒体であると読取制御部１６２により判定された場合、コード情報読取部１１３によりコード情報が読み取られたときにコード情報読取部１１３により読み取られたコード情報と、ＩＣ券読取部１１２により取得された処理用情報とに基づく処理を実行し、コード情報読取部１１３によりコード情報が読み取られなかったときにＩＣ券読取部１１２により取得された処理用情報に基づく処理を実行する。
【００４９】
これにより、入出場ゲート装置１は、非接触ＩＣを搭載した媒体から、無線通信以外によってデータを取得し、その取得したデータに基づいて入出場を許可するか否かを判定することができる。また、入出場ゲート装置１は、無線通信以外によって取得したデータに基づく所定の処理を実行することができる。つまり、入出場ゲート装置１は、非接触ＩＣを搭載した媒体から無線通信によって受信したデータと、その媒体から無線通信以外によって取得したデータとに基づいて、所定の処理を実行することができる。
【００５０】
入出場処理部１６１は、予め定められた場所への入場、又は、予め定められた場所からの出場を許可するか否かを判定する処理を、処理用情報に基づく処理として実行する。
【００５１】
入出場処理部１６１は、ＩＣ券読取部１１２と通信した媒体が第２媒体であると読取制御部１６２により判定された場合、コード情報読取部１１３によるコード情報の読み取りを無効にする。つまり、入出場処理部１６１は、コード情報読取部１１３がコード情報を読み取るよりも先に、無線通信によってＩＣ券読取部１１２が媒体を捕捉した場合、コード情報読取部１１３によるコード情報の読み取りを、読取制御部１６２を介して無効にする。
【００５２】
入出場処理部１６１は、識別情報が第１媒体を示す情報であると読取制御部１６２が判定した場合、第１媒体から取得した処理用情報に基づく処理を実行し、さらにコード情報を読み取る必要がある場合に、第１媒体に表示されたコード情報に基づく処理を実行する。
コード情報読取部１１３は、１次元コード又は２次元コードで表示されたコード情報を読み取る。
【００５３】
以上説明した少なくともひとつの実施形態の入出場ゲート装置１によれば、ＩＣ券読取部１１２と通信した媒体が第１媒体であると読取制御部１６２により判定された場合、コード情報と処理用情報とに基づく処理を実行する入出場処理部１６１を持つことにより、非接触ＩＣを搭載した媒体から、無線通信以外によってデータを取得し、その取得したデータに基づいて入出場を許可するか否かを判定することができる。
【００５４】
次に、運賃収受システムについて説明する。以下で説明する改札機２００は、入出場ゲート装置１と読み替えることが可能である。
【００５５】
図６は、本実施形態の運賃収受システムの全体的な構成例を示している。同図に示す運賃収受システムは、駅ＳＴにおいて改札機２００を備える。
なお、同図においては図示を簡略にすることの便宜上、駅ＳＴにおいて、各一つの改札機２００が示されているが、改札機２００が駅ＳＴにおいて複数備えられてよい。
【００５６】
駅ＳＴにおいては、改札口に改札機２００が備えられる。改札機２００は、ＩＣカード（記録媒体の一例）１００と通信を行うことにより改札処理を行うことができる。
【００５７】
運賃収受サーバ４００は、駅ＳＴにおける改札機２００と駅間通信網５００を介して通信可能に接続されている。なお、図示の便宜上、同図においては一つの駅ＳＴのみが示されているが、運賃収受サーバ４００は、複数の異なる駅ＳＴのそれぞれにおける改札機２００と駅間通信網５００を介して通信可能に接続されている。
また、同図においては、運賃収受サーバ４００に対して、改札機２００が個別に駅間通信網５００経由で接続される態様を示している。しかし、例えば駅ＳＴにおいて運賃収受サーバ４００と駅間通信網５００経由で接続されるルータなどのような通信装置を設け、通信装置経由で改札機２００が運賃収受サーバ４００と接続されるような構成としてもよい。
【００５８】
また、運賃収受サーバ４００は、改札機２００との通信により、登録されたＩＣカード１００を利用した乗降に応じた運賃の収受を行う。一例として、運賃収受サーバ４００は、以下のように運賃収受を行う。
或る駅ＳＴの改札機２００は、入場（乗車）のための利用客の通過に際してＩＣカード１００と通信を行って、入場駅情報を取得し、取得した入場駅情報を含む、入場対応の収受関連情報を運賃収受サーバ４００に送信する。
収受関連情報は、ＩＣカードを使用した運賃収受に関連して運賃収受サーバ４００が利用する情報である。また、収受関連情報における入場駅情報は、改札機２００が備えられる駅ＳＴが入場駅（乗車駅）であることを示す情報を含む。入場駅情報は、入場のための改札機の通過に関する改札機通過情報の一例である。
【００５９】
また、或る他の駅ＳＴの改札機２００は、出場（下車）のための利用客の通過に際してもＩＣカード１００と通信を行って、ＩＣカードの固有番号（ＩＤｉ）や出場駅情報を取得し、取得した出場駅情報を含む、ＩＣカードの固有番号や出場対応の収受関連情報を運賃収受サーバ４００に送信する。ここで、出場駅情報は、改札機２００が備えられる駅ＳＴが出場駅（下車駅）であることを示す情報を含む。出場駅情報は、出場のための改札機の通過に関する改札機通過情報の一例である。
【００６０】
運賃収受サーバ４００は、まず、或る駅ＳＴの改札機２００から入場対応の収受関連情報を受信する。その後において、運賃収受サーバ４００は、或る他の駅ＳＴの改札機２００から同一のＩＣカードの固有番号を含む出場対応の収受関連情報を受信する。
運賃収受サーバ４００は、同じＩＣカードの固有番号を含む入場対応の収受関連情報と出場対応の収受関連情報のそれぞれに含まれる入場駅情報と出場駅情報から、入場駅と出場駅とを認識する。運賃収受サーバ４００は、認識した入場駅と出場駅とに基づいて運賃を計算する。
【００６１】
このように、本実施形態の運賃収受システムでは、ＩＣカード１００の使用に応じて運賃収受が可能である。
【００６２】
図７を参照して、ＩＣカード１００の構成例について説明する。同図に示すＩＣカード１００は、通信部１０１、制御部１０２及び記憶部１０３を備える。
通信部１０１は、所定の非接触通信方式によって、改札機２００と通信を実行する。
制御部１０２は、ＩＣカード１００としての機能を実現するための各種制御を実行する。
記憶部１０３は、制御部１０２が利用する各種の情報を記憶する。記憶部１０３は、ＩＣカードの固有番号を記憶する。
【００６３】
例えば、改札機２００は、ＩＣカード１００の通信部１０１と通信が可能となるのに応じて、ＩＣカード１００に固有番号の送信を要求する。制御部１０２は、固有番号の送信の要求に応じて記憶部１０３から固有番号を読み出す。
【００６４】
次に、図８を参照して、改札機２００の構成例について説明する。同図に示す改札機２００は、カード対応通信部２０１、駅間通信網対応通信部２０２、制御部２０３、構内側扉２０４及び構外側扉２０５を備える。
【００６５】
カード対応通信部（記録媒体対応通信部の一例）２０１は、所定の非接触通信方式により、ＩＣカード１００と通信を実行する。なお、カード対応通信部２０１は、身分証明書用途以外であって、交通機関の事業者が発行する乗車券、定期券用途のＩＣカード１００とも通信を実行可能である。
駅間通信網対応通信部２０２は、駅間通信網５００経由で運賃収受サーバ４００と通信を実行する。
【００６６】
制御部２０３は、改札機２００としての各種機能を実現するための各種制御を実行する。
制御部２０３は、ＩＣカード１００の使用による運賃収受に対応する機能部として、固有番号取得部２３１と収受関連情報送信部２３２とを備える。また、制御部２０３は、改札機２００が備える構内側扉２０４及び構外側扉２０５などの部位の動作を制御するための改札動作制御部２３３を備える。
【００６７】
改札動作制御部２３３は、前述のように、構内側扉２０４及び構外側扉２０５などの改札機２００における所定部位の動作を制御する。
【００６８】
構内側扉２０４は、改札機２００の駅構内側に備えられる扉である。
構外側扉２０５は、改札機２００の駅構外側に備えられる扉である。構内側扉２０４と構外側扉２０５は、改札動作制御部２３３の制御によって開閉が行われる。
【００６９】
次に、図９を参照して、運賃収受サーバ４００の構成例について説明する。同図に示す運賃収受サーバ４００は、駅間通信網対応通信部４０１、制御部４０３及び記憶部４０４を備える。
【００７０】
駅間通信網対応通信部４０１は、駅間通信網５００経由で改札機２００と通信を実行する。
【００７１】
制御部４０３は、運賃収受サーバ４００としての機能を実現するための各種制御を実行する。制御部４０３は、運賃計算部４３２を備える。
【００７２】
運賃計算部４３２は、改札機２００から送信された改札機通過情報に基づいて運賃の計算を行う。本実施形態における改札機通過情報は収受関連情報に含められて改札機２００から送信される。
つまり、１人の利用客が交通機関を利用するのに応じて、まず、入場駅の改札機２００は入場対応の収受関連情報を運賃収受サーバ４００に送信する。この後、出場駅の改札機２００は、同じ固有番号を含む出場対応の収受関連情報を運賃収受サーバ４００に送信する。
【００７３】
運賃計算部４３２は、駅間通信網対応通信部４０１が受信した入場対応の収受関連情報と出場対応の収受関連情報とを取得する。なお、出場対応の収受関連情報が受信されるまでの間、入場対応の収受関連情報は、記憶部４０４における収受関連情報記憶部４４１にて記憶される。
【００７４】
運賃計算部４３２は、出場対応の収受関連情報が受信されるのに応じて、先に受信された入場対応の収受関連情報から、改札機通過情報である入場駅情報を取得する。また、今回受信された出場対応の収受関連情報から、改札機通過情報である出場駅情報を取得する。
記憶部４０４において、運賃情報記憶部４４２は運賃情報を記憶する。運賃情報は例えば入場駅と出場駅の組み合わせごとの運賃を示すテーブルである。なお、運賃情報は、例えば特定の区間や特定の時間における割引額や、一定区間において乗降が自由な路線などに対応した運賃についての情報も格納されてよい。
運賃計算部４３２は、取得した入場駅情報と出場駅情報とがそれぞれ示す入場駅と出場駅と、運賃情報記憶部４４２が記憶する運賃情報とを照合する。運賃計算部４３２は、照合の結果、入場駅と出場駅に該当する運賃を特定する。このように特定された運賃が、運賃計算部４３２による運賃の計算結果である。
【００７５】
記憶部４０４は、制御部４０３が利用する各種の情報を記憶する。
収受関連情報記憶部４４１は、受信された入場対応の収受関連情報を記憶する。このように、入場対応の収受関連情報が記憶されることで、同じ固有番号を含む出場対応の収受関連情報が受信されるまで、入場対応の収受関連情報が消失することなく運賃収受サーバ４００にて保持される。
【００７６】
運賃情報記憶部４４２は、運賃情報を記憶する。前述のように、運賃情報は、例えば入場駅と出場駅の組み合わせごとの運賃を示すテーブルである。
身分証明書登録情報記憶部４４３は、身分証明書登録情報を記憶する。
【００７７】
次に、図１０のフローチャートを参照して、改札機２００がＩＣカード１００の使用による運賃の収受に対応して実行する処理手順例について説明する。
改札機２００におけるカード対応通信部２０１は、ＩＣカード１００との通信が開始されるのを待機している（ステップＳ３０１−ＮＯ）。
【００７８】
ＩＣカード１００との通信が開始されると（ステップＳ３０１−ＹＥＳ）、固有番号取得部２３１は、通信相手のＩＣカード１００からＩＣカードの固有番号を取得する（ステップＳ３０２）。
【００７９】
次に、収受関連情報送信部２３２は、改札機通過情報と、ステップＳ３０２により取得したＩＣカードの固有番号とを含む収受関連情報を生成する（ステップＳ３０３）。
ここで、ステップＳ３０３において、今回のＩＣカード１００との通信が、改札内への入場のための改札機２００の通過に対応する場合、収受関連情報送信部２３２は、改札機通過情報として入場駅情報を収受関連情報に含める。
一方、今回のＩＣカード１００との通信が、改札外への出場のための改札機２００の通過に対応する場合、収受関連情報送信部２３２は、改札機通過情報として出場駅情報を収受関連情報に含める。
【００８０】
収受関連情報送信部２３２は、ステップＳ３０３により生成した収受関連情報を、駅間通信網対応通信部２０２を介して運賃収受サーバ４００に対して送信する（ステップＳ３０４）。
【００８１】
なお、改札機２００における改札動作制御部２３３は、利用客の入場あるいは出場のための改札機２００の通過に応じて、構内側扉２０４、構外側扉２０５などの動作を制御する。しかし、同図では、改札動作制御部２３３が実行する処理については図示を省略している。
【００８２】
次に、図１１のフローチャートを参照して、運賃収受サーバ４００が運賃収受に対応して実行する処理手順例について説明する。
運賃収受サーバ４００において、運賃計算部４３２は、入場対応の収受関連情報が受信されるのを待機する（ステップＳ４０１−ＮＯからステップＳ４０３−ＮＯとなり、ステップＳ４０１に戻る処理）。
運賃計算部４３２は、入場対応の収受関連情報が受信されると（ステップＳ４０１−ＹＥＳ）、受信された入場対応の収受関連情報を、収受関連情報記憶部４４１に記憶させる（ステップＳ４０２）。
【００８３】
また、運賃計算部４３２は、出場対応の収受関連情報が受信されるのを待機している（ステップＳ４０３−ＮＯからステップＳ４０１−ＮＯとなり、ステップＳ４０３に戻る処理）。
【００８４】
出場対応の収受関連情報が受信されると（ステップＳ４０３−ＹＥＳ）、運賃計算部４３２は、受信された出場対応の収受関連情報に対応する入場対応の収受関連情報を、収受関連情報記憶部４４１から取得する（ステップＳ４０４）。
受信された出場対応の収受関連情報に対応する入場対応の収受関連情報とは、受信された出場対応の収受関連情報が含むのと同じＩＣカードの固有番号を含む入場対応の収受関連情報である。
【００８５】
次に、運賃計算部４３２は、運賃計算を実行する（ステップＳ４０５）。
このために、運賃計算部４３２は、ステップＳ４０３にて受信した入場対応の収受関連情報に含まれる入場駅情報が示す入場駅を認識する。また、運賃計算部４３２は、ステップＳ４０４にて取得した出場対応の収受関連情報に含まれる出場駅情報が示す出場駅を認識する。
運賃計算部４３２は、前述のように、認識した入場駅と出場駅とを、運賃情報記憶部４４２が記憶する運賃情報を照合して運賃を特定する。このように特定された運賃が運賃計算部４３２による運賃の計算結果である。
【００８６】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
１…入出場ゲート装置、１１…読取部、１２…書込部、１３…検知部、１３ａ…機内検知部、１３ｂ…機前検知部、１４…扉、１５…記憶部、１６…制御部、ＳＴ…駅、１００…ＩＣカード、１０１…通信部、１０２…制御部、１０３…記憶部、１１１…磁気券読取部、１１２…ＩＣ券読取部、１１３…コード情報読取部、１２１…磁気券書込部、１２２…ＩＣ券書込部、２００…改札機、２０１…カード対応通信部、２０２…駅間通信網対応通信部、２０３…制御部、２０４…構内側扉、２０５…構外側扉、２３１…固有番号取得部、２３２…収受関連情報送信部、２３３…改札動作制御部、４００…運賃収受サーバ、４０１…駅間通信網対応通信部、４０３…制御部、４０４…記憶部、４３２…運賃計算部、５００…駅間通信網
【図１】
2015176259.tif 000003
【図２】
2015176259.tif 000004
【図３】
2015176259.tif 000005
【図４】
2015176259.tif 000006
【図５】
2015176259.tif 000007
【図６】
2015176259.tif 000008
【図７】
2015176259.tif 000009
【図８】
2015176259.tif 000010
【図９】
2015176259.tif 000011
【図１０】
2015176259.tif 000012
【図１１】
2015176259.tif 000013